(57)【要約】【課題】駆動モードの切替え時に画像の表示品位が過度に低下するのを抑制する。【解決手段】制御部１１は、駆動モードを、第１駆動モードと第２駆動モードとの間で、中間反転駆動モードを経て切り替える。中間反転駆動モードは、一のソース信号線Ｓ１〜Ｓｍに接続された画素電極に印加する電圧の極性を複数のゲート信号線Ｇ１〜Ｇｎごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。制御部１１は、中間反転駆動モードでは、一のソース信号線に接続された画素電極に対してゲート信号線ごとに順番に電圧が印加される際に、印加電圧の極性が直前の画素電極から反転する画素電極に対する電圧印加時間を、直前の画素電極と同じ画素電極に対する電圧印加時間に比べて長くする。【選択図】図１
2014056090.tif 000002
【特許請求の範囲】
【請求項１】
複数のソース信号線と、複数のゲート信号線と、前記ソース信号線及び前記ゲート信号線に接続された複数の画素電極と、を有し、入力画像信号に対応する画像をフレームごとに表示する液晶表示部と、
入力画像信号に対応する電圧を前記複数の画素電極に前記ソース信号線を介して印加するソース駆動部と、
前記複数のゲート信号線に対してゲート信号を順番に出力するゲート駆動部と、
前記ソース駆動部及び前記ゲート駆動部を制御して、前記ゲート駆動部によるゲート信号の出力に応じて、一のソース信号線に接続された画素電極に対してゲート信号線ごとに順番に前記ソース駆動部により電圧を印加させる制御部と、
を備え、
前記制御部は、前記複数の画素電極に対する電圧印加の駆動モードを、第１駆動モードと第２駆動モードとの間で、中間反転駆動モードを経て切り替え、
前記中間反転駆動モードは、一のソース信号線に接続された画素電極に印加する電圧の極性を複数のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードであり、
前記制御部は、前記中間反転駆動モードでは、一のソース信号線に接続された画素電極に対してゲート信号線ごとに順番に電圧が印加される際に、印加電圧の極性が直前の画素電極から反転する画素電極である反転電極に対する電圧印加時間を、印加電圧の極性が直前の画素電極と同じ画素電極である同一電極に対する電圧印加時間に比べて長くすることを特徴とする液晶表示装置。
【請求項２】
前記制御部は、前記ゲート駆動部を制御して、前記同一電極に接続されたゲート信号線へのゲート信号の出力時点から次のゲート信号線へのゲート信号の出力時点までの時間を所定の基準時間に設定し、かつ、前記反転電極に接続されたゲート信号線へのゲート信号の出力時点から次のゲート信号線へのゲート信号の出力時点までの時間を前記基準時間より長い時間に設定することを特徴とする請求項１記載の液晶表示装置。
【請求項３】
前記制御部は、前記中間反転駆動モードでは、一のソース信号線に接続された画素電極に印加する電圧の極性をＭ（Ｍは正の整数）回反転させた第１極性反転パターンと、一のソース信号線に接続された画素電極に印加する電圧の極性をＮ（ＮはＭより大きい整数）回反転させた第２極性反転パターンとを使用し、かつ、前記第１駆動モードから前記第２駆動モードに切り替える際には、前記第１極性反転パターンを使用した後で前記第２極性反転パターンを使用し、
前記第１駆動モードは、一のソース信号線に接続された画素電極に印加する電圧の極性をＩ回（Ｉは０以上かつＭ未満の整数）反転させ、互いに隣接するソース信号線に接続され同一のゲート信号線に接続された画素電極に印加する電圧の極性を反転させ、かつ、フレームごとに各画素電極に印加する電圧の極性を反転する駆動モードであり、
前記第２駆動モードは、一のソース信号線に接続された画素電極に印加する電圧の極性をＪ回（ＪはＮより大きい整数）反転させ、互いに隣接するソース信号線に接続され同一のゲート信号線に接続された画素電極に印加する電圧の極性を反転させ、かつ、フレームごとに各画素電極に印加する電圧の極性を反転する駆動モードであることを特徴とする請求項１又は２記載の液晶表示装置。
【請求項４】
前記制御部は、前記中間反転駆動モードでは、一のソース信号線に接続された画素電極に印加する電圧の極性をＬ（Ｌは２より大きい整数）本のゲート信号線ごとに反転させた第１極性反転パターンと、一のソース信号線に接続された画素電極に印加する電圧の極性をＫ（Ｋは２以上かつＬ未満の整数）本のゲート信号線ごとに反転させた第２極性反転パターンと、を使用し、かつ、前記第１駆動モードから前記第２駆動モードに切り替える際には、前記第１極性反転パターンを使用した後で前記第２極性反転パターンを使用し、
前記第１駆動モードは、カラム反転駆動モードまたは一のソース信号線に接続された画素電極に印加する電圧の極性をＸ（ＸはＬより大きな整数）本のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードであり、
前記第２駆動モードは、一のソース信号線に接続された画素電極に印加する電圧の極性をＹ（Ｙは１以上かつＫ未満の整数）本のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードであることを特徴とする請求項１又は２記載の液晶表示装置。
【請求項５】
前記制御部は、前記中間反転駆動モードにおいて、前記第１極性反転パターンを少なくとも２フレーム連続して使用し、前記第２極性反転パターンを少なくとも２フレーム連続して使用することを特徴とする請求項３又は４記載の液晶表示装置。
【請求項６】
前記液晶表示部は、第１フレーム及び第２フレームの順番で前記画像を表示し、
前記第１フレームにおいて前記第１極性反転パターンが使用され、かつ前記第２フレームにおいて前記第２極性反転パターンが使用される場合には、前記第２フレームにおいて前記反転電極は、極性が前記第１フレームから反転する第１画素電極と、極性が前記第１フレームと同じ第２画素電極と、を含み、
前記制御部は、前記第１画素電極に対する電圧印加時間を、前記第２画素電極に対する電圧印加時間に比べて長くすることを特徴とする請求項３乃至５のいずれか１項に記載の液晶表示装置。
【請求項７】
前記第１駆動モード時のフレーム期間は前記中間反転駆動モード時のフレーム期間に比べて短いことを特徴とする請求項１乃至６のいずれか１項に記載の液晶表示装置。
【請求項８】
前記制御部は、前記入力画像信号の特徴量に基づき、前記駆動モードを前記第１駆動モードと前記第２駆動モードとの間で切り替えることを特徴とする請求項１乃至７のいずれか１項に記載の液晶表示装置。
【請求項９】
前記特徴量は、前記液晶表示部に画像を表示する際のフレームレートであり、
前記制御部は、前記フレームレートが基準値以上のときは前記駆動モードを前記第１駆動モードに切り替え、前記フレームレートが前記基準値未満のときは前記駆動モードを前記第２駆動モードに切り替えることを特徴とする請求項８記載の液晶表示装置。
【請求項１０】
前記特徴量は、前記液晶表示部に表示される画像内のオブジェクトの動き量であり、
前記制御部は、前記動き量が閾値以上のときは前記駆動モードを前記第１駆動モードに切り替え、前記動き量が前記閾値未満のときは前記駆動モードを前記第２駆動モードに切り替えることを特徴とする請求項８記載の液晶表示装置。
【請求項１１】
前記第１駆動モードはカラム反転駆動モードであり、
前記第２駆動モードはドット反転駆動モードであり、
前記カラム反転駆動モードは、一のソース信号線に接続された画素電極に同一極性の電圧を印加し、互いに隣接するソース信号線に接続された画素電極に印加する電圧の極性を反転し、かつ、フレームごとに各画素電極に印加する電圧の極性を反転する駆動モードであり、
前記ドット反転駆動モードは、互いに隣接する画素電極に逆極性の電圧を印加し、かつ、フレームごとに各画素電極に印加する電圧の極性を反転する駆動モードであることを特徴とする請求項１乃至１０のいずれか１項に記載の液晶表示装置。
【発明の詳細な説明】
【技術分野】
【０００１】
本発明は、液晶表示部に画像を表示する液晶表示装置に関するものである。
【背景技術】
【０００２】
コンピュータやその他の情報機器の高精細度カラーモニター、あるいはテレビジョン受像機といった表示装置として、液晶表示装置が使用される。液晶表示装置は、基本的には、少なくとも一方が透明なガラス等からなる二枚の基板の間に、液晶を挟持した液晶表示部を有する。そして、液晶表示装置は、この液晶表示部の基板に形成された画素電極に選択的に電圧を印加する駆動部を備える。この駆動部による電圧印加によって、各画素電極の画素が制御される。
【０００３】
液晶表示部は、一般に、複数のゲート信号線、複数のソース信号線及び複数の画素電極を備える。複数のゲート信号線は、それぞれ例えば横方向（主走査方向）に延びており、縦方向（副走査方向）に並んで設けられている。複数のソース信号線は、それぞれ例えば縦方向（副走査方向）に延びており、横方向（主走査方向）に並んで設けられている。複数のゲート信号線及び複数のソース信号線の交点に、マトリクス状に複数の薄膜トランジスタ（ＴＦＴ）及び画素電極が配置されている。駆動部は、ゲート信号線にＴＦＴをオンオフするための電圧を印加する。また、駆動部は、入力画像信号に基づく電圧をソース信号線を介して画素電極に印加して、画素電極に対応して設けられた液晶の透過率を印加電圧に応じた値に変更する。このとき、駆動部は、入力画像信号を１水平期間分保持し、液晶表示部のソース信号線に出力する。
【０００４】
一般に、液晶を駆動するために直流の駆動電圧を画素電極に印加すると、液晶が劣化して寿命が短くなるため、液晶表示部では、画素電極に印加する電圧の極性をフレームごとに反転させる交流電圧駆動が行われている。交流電圧駆動を行うための液晶表示部の駆動モードとして、カラム反転駆動モードと、ドット反転駆動モードとが知られている。カラム反転駆動モードは、各フレームにおいて同一のソース信号線に接続された画素電極に同一極性の電圧を印加し、互いに隣接するソース信号線に接続された画素電極に印加する電圧の極性を反転し、かつ、フレームごとに各画素電極に印加する電圧の極性を反転する駆動モードである。ドット反転駆動モードは、各フレームにおいて互いに隣接する画素電極に逆極性の電圧を印加し、かつ、フレームごとに各画素電極に印加する電圧の極性を反転する駆動モードである。
【０００５】
ここで、カラム反転駆動モードとドット反転駆動モードとを比較する。カラム反転駆動モードは、１フレーム期間を通じて、ソース信号線に接続された画素電極に印加する電圧の極性が同一である。このため、カラム反転駆動モードは、画素電極へのデータ書込み（電圧印加）において有利な駆動モードであり、長いデータ書込時間を確保できない場合に好適である。その一方で、カラム反転駆動モードは、クロストークやフリッカの性能で劣る。逆に、ドット反転駆動モードは、クロストークやフリッカの性能は高いが、画素電極へのデータ書込みに比較的長い時間を要する。
【０００６】
そこで、特許文献１に記載の装置では、入力画像信号のフレームレートが高いときは、カラム反転駆動モードとし、入力画像信号のフレームレートが低いときは、ドット反転駆動モードとして、液晶表示部の駆動モードを切り替えている。
【先行技術文献】
【特許文献】
【０００７】
【特許文献１】特開２００５−２１５５９１号公報
【発明の概要】
【発明が解決しようとする課題】
【０００８】
液晶表示部の駆動モードを、ドット反転駆動モードとカラム反転駆動モードとの間で直接切り替えると、急激な負荷変動が生じて、駆動モードの切替え時に、液晶表示部に画像が連続的に表示されずに境界が生じる可能性があり、その場合には、画像の表示品位が低下する。しかしながら、上記特許文献１に記載の装置では、この点について全く考慮されていない。
【０００９】
本発明は、上述した課題を解決するためになされたもので、液晶表示部の駆動モードの切替え時に、画像の表示品位が過度に低下するのを抑制することができる液晶表示装置を提供することを目的とする。
【課題を解決するための手段】
【００１０】
本発明に係る液晶表示装置は、複数のソース信号線と、複数のゲート信号線と、前記ソース信号線及び前記ゲート信号線に接続された複数の画素電極と、を有し、入力画像信号に対応する画像をフレームごとに表示する液晶表示部と、入力画像信号に対応する電圧を前記複数の画素電極に前記ソース信号線を介して印加するソース駆動部と、前記複数のゲート信号線に対してゲート信号を順番に出力するゲート駆動部と、前記ソース駆動部及び前記ゲート駆動部を制御して、前記ゲート駆動部によるゲート信号の出力に応じて、一のソース信号線に接続された画素電極に対してゲート信号線ごとに順番に前記ソース駆動部により電圧を印加させる制御部と、を備え、前記制御部は、前記複数の画素電極に対する電圧印加の駆動モードを、第１駆動モードと第２駆動モードとの間で、中間反転駆動モードを経て切り替え、前記中間反転駆動モードは、一のソース信号線に接続された画素電極に印加する電圧の極性を複数のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードであり、前記制御部は、前記中間反転駆動モードでは、一のソース信号線に接続された画素電極に対してゲート信号線ごとに順番に電圧が印加される際に、印加電圧の極性が直前の画素電極から反転する画素電極である反転電極に対する電圧印加時間を、印加電圧の極性が直前の画素電極と同じ画素電極である同一電極に対する電圧印加時間に比べて長くする。
【００１１】
この構成によれば、液晶表示部は、複数のソース信号線と、複数のゲート信号線と、ソース信号線及びゲート信号線に接続された複数の画素電極と、を有し、入力画像信号に対応する画像をフレームごとに表示する。ソース駆動部は、入力画像信号に対応する電圧を複数の画素電極にソース信号線を介して印加する。ゲート駆動部は、複数のゲート信号線に対してゲート信号を順番に出力する。制御部は、ソース駆動部及びゲート駆動部を制御して、ゲート駆動部によるゲート信号の出力に応じて、一のソース信号線に接続された画素電極に対してゲート信号線ごとに順番にソース駆動部により電圧を印加させる。制御部は、複数の画素電極に対する電圧印加の駆動モードを、第１駆動モードと第２駆動モードとの間で、中間反転駆動モードを経て切り替える。中間反転駆動モードは、一のソース信号線に接続された画素電極に印加する電圧の極性を複数のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。制御部は、中間反転駆動モードでは、一のソース信号線に接続された画素電極に対してゲート信号線ごとに順番に電圧が印加される際に、印加電圧の極性が直前の画素電極から反転する画素電極である反転電極に対する電圧印加時間を、印加電圧の極性が直前の画素電極と同じ画素電極である同一電極に対する電圧印加時間に比べて長くする。
【００１２】
ここで、反転電極では、同一電極に比べて応答性が低下するため、同じレベルの電圧を印加しても、実際に印加される電圧が不十分になり易くなる。その結果、画像の表示品位が低下する。しかし、この構成によれば、制御部は、反転電極に対する電圧印加時間を、同一電極に対する電圧印加時間に比べて長くする。このため、実際に印加される電圧が不十分になるのを抑制することができ、画像の表示品位が過度に低下するのを抑制することができる。
【００１３】
上記液晶表示装置において、前記制御部は、前記ゲート駆動部を制御して、前記同一電極に接続されたゲート信号線へのゲート信号の出力時点から次のゲート信号線へのゲート信号の出力時点までの時間を所定の基準時間に設定し、かつ、前記反転電極に接続されたゲート信号線へのゲート信号の出力時点から次のゲート信号線へのゲート信号の出力時点までの時間を前記基準時間より長い時間に設定するとしてもよい。
【００１４】
この構成によれば、制御部は、ゲート駆動部を制御して、同一電極に接続されたゲート信号線へのゲート信号の出力時点から次のゲート信号線へのゲート信号の出力時点までの時間を所定の基準時間に設定し、かつ、反転電極に接続されたゲート信号線へのゲート信号の出力時点から次のゲート信号線へのゲート信号の出力時点までの時間を基準時間より長い時間に設定する。したがって、反転電極に対する電圧印加時間が、同一電極に対する電圧印加時間である基準時間より長くなる。このため、反転電極に対して実際に印加される電圧が不十分になるのを抑制することができる。
【００１５】
上記液晶表示装置において、前記制御部は、前記中間反転駆動モードでは、一のソース信号線に接続された画素電極に印加する電圧の極性をＭ（Ｍは正の整数）回反転させた第１極性反転パターンと、一のソース信号線に接続された画素電極に印加する電圧の極性をＮ（ＮはＭより大きい整数）回反転させた第２極性反転パターンとを使用し、かつ、前記第１駆動モードから前記第２駆動モードに切り替える際には、前記第１極性反転パターンを使用した後で前記第２極性反転パターンを使用し、前記第１駆動モードは、一のソース信号線に接続された画素電極に印加する電圧の極性をＩ回（Ｉは０以上かつＭ未満の整数）反転させ、互いに隣接するソース信号線に接続され同一のゲート信号線に接続された画素電極に印加する電圧の極性を反転させ、かつ、フレームごとに各画素電極に印加する電圧の極性を反転する駆動モードであり、前記第２駆動モードは、一のソース信号線に接続された画素電極に印加する電圧の極性をＪ回（ＪはＮより大きい整数）反転させ、互いに隣接するソース信号線に接続され同一のゲート信号線に接続された画素電極に印加する電圧の極性を反転させ、かつ、フレームごとに各画素電極に印加する電圧の極性を反転する駆動モードであるとしてもよい。
【００１６】
この構成によれば、制御部は、中間反転駆動モードでは、一のソース信号線に接続された画素電極に印加する電圧の極性を所定のゲート信号線でＭ（Ｍは正の整数）回反転させた第１極性反転パターンと、一のソース信号線に接続された画素電極に印加する電圧の極性をＮ（ＮはＭより大きい整数）回反転させた第２極性反転パターンとを使用し、かつ、第１駆動モードから第２駆動モードに切り替える際には、第１極性反転パターンを使用した後で第２極性反転パターンを使用する。第１駆動モードは、一のソース信号線に接続された画素電極に印加する電圧の極性をＩ回（Ｉは０以上かつＭ未満の整数）反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。第２駆動モードは、一のソース信号線に接続された画素電極に印加する電圧の極性をＪ回（ＪはＮより大きい整数）反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。したがって、第１駆動モードから第１極性反転パターン、第２極性反転パターンを経て第２駆動モードに切り替えられると、極性の反転回数が段階的に減少するため、第１駆動モードから第２駆動モードに駆動モードを滑らかに切り替えることができる。
【００１７】
上記液晶表示装置において、前記制御部は、前記中間反転駆動モードでは、一のソース信号線に接続された画素電極に印加する電圧の極性をＬ（Ｌは２より大きい整数）本のゲート信号線ごとに反転させた第１極性反転パターンと、一のソース信号線に接続された画素電極に印加する電圧の極性をＫ（Ｋは２以上かつＬ未満の整数）本のゲート信号線ごとに反転させた第２極性反転パターンと、を使用し、かつ、前記第１反転駆動モードから前記第２反転駆動モードに切り替える際には、前記第１極性反転パターンを使用した後で前記第２極性反転パターンを使用し、前記第１駆動モードは、カラム反転駆動モードまたは一のソース信号線に接続された画素電極に印加する電圧の極性をＸ（ＸはＬより大きな整数）本のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードであり、前記第２駆動モードは、一のソース信号線に接続された画素電極に印加する電圧の極性をＹ（ＹはＫより小さな整数）本のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードであるとしてもよい。
【００１８】
この構成によれば、制御部は、中間反転駆動モードでは、一のソース信号線に接続された画素電極に印加する電圧の極性をＬ（Ｌは２より大きい整数）本のゲート信号線ごとに反転させた第１極性反転パターンと、一のソース信号線に接続された画素電極に印加する電圧の極性をＫ（Ｋは２以上かつＬ未満の整数）本のゲート信号線ごとに反転させた第２極性反転パターンと、を使用する。制御部により、中間反転駆動モードでは、第１駆動モードから第２駆動モードに切り替える際には、第１極性反転パターンが使用された後で、第２極性反転パターンが使用される。第１駆動モードは、カラム反転駆動モードまたは一のソース信号線に接続された画素電極に印加する電圧の極性をＸ（ＸはＬより大きな整数）本のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。第２駆動モードは、一のソース信号線に接続された画素電極に印加する電圧の極性をＹ（ＹはＫより小さな整数）本のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。したがって、第１駆動モードから第１極性反転パターン、第２極性反転パターンを経て第２駆動モードに切り替えられると、複数のゲート信号線ごとに極性が反転する際のゲート信号線の本数が段階的に減少するため、第１駆動モードから第２駆動モードに滑らかに切り替えることができる。
【００１９】
上記液晶表示装置において、前記制御部は、前記中間反転駆動モードにおいて、前記第１極性反転パターンを少なくとも２フレーム連続して使用し、前記第２極性反転パターンを少なくとも２フレーム連続して使用するとしてもよい。
【００２０】
この構成によれば、制御部により、中間反転駆動モードにおいて、第１極性反転パターンは、少なくとも２フレーム連続して使用され、第２極性反転パターンは、少なくとも２フレーム連続して使用される。第１駆動モードから第２駆動モードに切り替える際に、第１駆動モードの次のフレームで第１極性反転パターンを使用し、その次のフレームで第２極性反転パターンを使用した場合には、画素電極に対して３フレーム連続して同一極性の電圧が印加されることがあるため、制御が複雑になるおそれがある。しかし、上記構成によれば、第１駆動モードから第２駆動モードに切り替える際に、第１駆動モードの次のフレームで第１極性反転パターンを使用すると、その次のフレームでは第１極性反転パターンが使用される。また、第１極性反転パターンを使用したフレームの次のフレームで第２極性反転パターンが使用されると、その次のフレームでは第２極性反転パターンが使用される。したがって、画素電極に対して３フレーム連続して同一極性の電圧が印加されるのを防止することができる。
【００２１】
上記液晶表示装置において、前記液晶表示部は、第１フレーム及び第２フレームの順番で前記画像を表示し、前記第１フレームにおいて前記第１極性反転パターンが使用され、かつ前記第２フレームにおいて前記第２極性反転パターンが使用される場合には、前記第２フレームにおいて前記反転電極は、極性が前記第１フレームから反転する第１画素電極と、極性が前記第１フレームと同じ第２画素電極と、を含み、前記制御部は、前記第１画素電極に対する電圧印加時間を、前記第２画素電極に対する電圧印加時間に比べて長くするとしてもよい。
【００２２】
この構成によれば、液晶表示部は、第１フレーム及び第２フレームの順番で画像を表示する。第１フレームにおいて第１極性反転パターンが使用され、かつ第２フレームにおいて第２極性反転パターンが使用される場合には、第２フレームにおいて反転電極は、極性が第１フレームから反転する第１画素電極と、極性が第１フレームと同じ第２画素電極と、を含む。制御部は、第１画素電極に対する電圧印加時間を、第２画素電極に対する電圧印加時間に比べて長くする。
【００２３】
ここで、第１画素電極は、極性が第１フレームから反転しているため、極性が第１フレームと同じ第２画素電極に比べて、同じレベルの電圧を印加しても、極性が反転している分だけ、実際に画素電極に印加される電圧が低下する。しかし、上記構成では、第１画素電極に対する電圧印加時間が、第２画素電極に対する電圧印加時間に比べて長くされている。したがって、第１画素電極において実際に印加される電圧が不十分になるのを抑制することができる。
【００２４】
上記液晶表示装置において、前記制御部は、前記第１画素電極に対して前記入力画像信号に対応する電圧を複数回印加させるとしてもよい。
【００２５】
この構成によれば、制御部により、第１画素電極に対して入力画像信号に対応する電圧が複数回印加される。このように、電圧が複数回印加されるため、第１画素電極において実際に印加される電圧が不十分になるのを抑制することができる。
【００２６】
上記液晶表示装置において、前記第１反転駆動モード時のフレーム期間は前記中間反転駆動モード時のフレーム期間に比べて短いとしてもよい。
【００２７】
この構成によれば、第１駆動モード時のフレーム期間は中間反転駆動モード時のフレーム期間に比べて短い。したがって、中間反転駆動モード時のフレーム期間に比べて短いフレーム期間において、第１駆動モードにより駆動部を好適に制御することができる。
【００２８】
上記液晶表示装置において、前記制御部は、前記入力画像信号の特徴量に基づき、前記駆動モードを前記第１反転駆動モードと前記第２反転駆動モードとの間で切り替えるとしてもよい。
【００２９】
この構成によれば、制御部は、入力画像信号の特徴量に基づき、駆動モードを第１駆動モードと第２駆動モードとの間で切り替える。したがって、入力画像信号の特徴量に適切な駆動モードを用いることができる。
【００３０】
上記液晶表示装置において、前記特徴量は、前記液晶表示部に画像を表示する際のフレームレートであり、前記制御部は、前記フレームレートが基準値以上のときは前記駆動モードを前記第１反転駆動モードに切り替え、前記フレームレートが前記基準値未満のときは前記駆動モードを前記第２反転駆動モードに切り替えるとしてもよい。
【００３１】
この構成によれば、特徴量は、液晶表示部に画像を表示する際のフレームレートである。制御部は、フレームレートが基準値以上のときは駆動モードを第１駆動モードに切り替える。制御部は、フレームレートが基準値未満のときは駆動モードを第２駆動モードに切り替える。したがって、フレームレートに適切な駆動モードを用いることができる。
【００３２】
上記液晶表示装置において、前記特徴量は、前記液晶表示部に表示される画像内のオブジェクトの動き量であり、前記制御部は、前記動き量が閾値以上のときは前記駆動モードを前記第１反転駆動モードに切り替え、前記動き量が前記閾値未満のときは前記駆動モードを前記第２反転駆動モードに切り替えるとしてもよい。
【００３３】
この構成によれば、特徴量は、液晶表示部に表示される画像内のオブジェクトの動き量である。制御部は、動き量が閾値以上のときは駆動モードを第１駆動モードに切り替える。制御部は、動き量が閾値未満のときは駆動モードを第２駆動モードに切り替える。したがって、画像内のオブジェクトの動き量に適切な駆動モードを用いることができる。
【００３４】
上記液晶表示装置において、前記第１駆動モードはカラム反転駆動モードであり、前記第２駆動モードはドット反転駆動モードであり、前記カラム反転駆動モードは、一のソース信号線に接続された画素電極に同一極性の電圧を印加し、互いに隣接するソース信号線に接続された画素電極に印加する電圧の極性を反転し、かつ、フレームごとに各画素電極に印加する電圧の極性を反転する駆動モードであり、前記ドット反転駆動モードは、互いに隣接する画素電極に逆極性の電圧を印加し、かつ、フレームごとに各画素電極に印加する電圧の極性を反転する駆動モードであるとしてもよい。
【００３５】
この構成によれば、第１駆動モードはカラム反転駆動モードである。第２駆動モードはドット反転駆動モードである。カラム反転駆動モードは、一のソース信号線に接続された画素電極に同一極性の電圧を印加し、互いに隣接するソース信号線に接続された画素電極に印加する電圧の極性を反転し、かつ、フレームごとに各画素電極に印加する電圧の極性を反転する駆動モードである。ドット反転駆動モードは、互いに隣接する画素電極に逆極性の電圧を印加し、かつ、フレームごとに各画素電極に印加する電圧の極性を反転する駆動モードである。したがって、カラム反転駆動モードでは、一のソース信号線に接続された画素電極に同一極性の電圧が印加されるため、ドット反転駆動モードに比べて、高速に動作することができる。一方、ドット反転駆動モードでは、互いに隣接する画素電極に逆極性の電圧が印加されるため、カラム反転駆動モードに比べて、画素電極に対する極性反転がきめ細かく行われることから、画像の表示品位を向上することができる。
【発明の効果】
【００３６】
本発明によれば、複数の画素電極に対する電圧印加の駆動モードを、第１反転駆動モードと第２反転駆動モードとの間で、中間反転駆動モードを経て切り替えるため、第１駆動モードから直接第２駆動モードに、または第２駆動モードから直接第１反転駆動モードに、切り替わる場合に比べて、駆動モードを滑らかに切り替えることができる。また、印加電圧の極性が直前の画素電極から反転する画素電極に対する電圧印加時間は、印加電圧の極性が直前の画素電極と同じ画素電極に対する電圧印加時間に比べて長くなるため、実際に印加される電圧が不十分になるのを抑制することができ、画像の表示品位が過度に低下するのを抑制することができる。
【図面の簡単な説明】
【００３７】
【図１】本発明の一実施形態の液晶表示装置の構成を示すブロック図である。
【図２】図１に示される液晶表示パネルの信号線の接続状態を示す回路図である。
【図３】液晶表示パネルにおいて、あるフレームにおける各画素電極の印加電圧の極性を示す図であり、カラム反転駆動モードを示す。
【図４】液晶表示パネルにおいて、あるフレームにおける各画素電極の印加電圧の極性を示す図であり、ドット反転駆動モードを示す。
【図５】液晶表示パネルにおいて、あるフレームにおける各画素電極の印加電圧の極性を示す図であり、中間反転駆動モードを示す。
【図６】液晶表示パネルにおいて、あるフレームにおける各画素電極の印加電圧の極性を示す図であり、中間反転駆動モードを示す。
【図７】本実施形態において、図５に示される中間反転駆動モードにおける各部の信号を示すタイミングチャートである。
【図８】別の実施形態において、図５に示される中間反転駆動モードにおける各部の信号を示すタイミングチャートである。
【図９】さらに別の実施形態において、中間反転駆動モードの異なる反転パターンが使用された場合の各部の信号を示すタイミングチャートである。
【図１０】図９を変形した実施形態において、中間反転駆動モードの異なる反転パターンが使用された場合の各部の信号を示すタイミングチャートである。
【図１１】駆動モードの移行過程を模式的に示すタイミングチャートである。
【図１２】（ａ）（ｂ）は、カラム反転駆動モードにおける各画素電極の印加電圧の極性を模式的に示す図である。
【図１３】（ａ）（ｂ）は、中間反転駆動モードにおける各画素電極の印加電圧の極性を模式的に示す図である。
【図１４】（ａ）（ｂ）は、中間反転駆動モードにおける各画素電極の印加電圧の極性を模式的に示す図である。
【図１５】（ａ）（ｂ）は、ドット反転駆動モードにおける各画素電極の印加電圧の極性を模式的に示す図である。
【図１６】駆動モードの移行過程の別の実施形態を模式的に示すタイミングチャートである。
【図１７】カラム反転駆動モードにおける各画素電極の印加電圧の極性を模式的に示す図である。
【図１８】中間反転駆動モードにおける各画素電極の印加電圧の極性を模式的に示す図である。
【図１９】中間反転駆動モードにおける各画素電極の印加電圧の極性を模式的に示す図である。
【図２０】ドット反転駆動モードにおける各画素電極の印加電圧の極性を模式的に示す図である。
【発明を実施するための形態】
【００３８】
図１は、本発明の一実施形態の液晶表示装置の構成を示すブロック図である。図２は、図１に示される液晶表示パネルの信号線の接続状態を示す回路図である。図１に示されるように、液晶表示装置１は、制御部１１と、液晶表示パネル１２と、ゲート駆動部１３と、ソース駆動部１４とを備える。
【００３９】
液晶表示パネル１２は、図２に示されるように、複数のソース信号線Ｓ１，Ｓ２，・・・，Ｓｍ、複数のゲート信号線Ｇ１，Ｇ２，・・・，Ｇｎ、複数の薄膜トランジスタＱ及び複数の画素電極Ｒ，Ｇ，Ｂ（つまり赤色の画素電極Ｒ、緑色の画素電極Ｇ及び青色の画素電極Ｂ）を備える。複数のソース信号線Ｓ１，Ｓ２，・・・，Ｓｍは、それぞれ縦方向（副走査方向）に延びており、横方向（主走査方向）に並んで設けられている。複数のゲート信号線Ｇ１，Ｇ２，・・・，Ｇｎは、それぞれ横方向（主走査方向）に延びており、縦方向（副走査方向）に並んで設けられている。複数のソース信号線Ｓ１，Ｓ２，・・・，Ｓｍ及び複数のゲート信号線Ｇ１，Ｇ２，・・・，Ｇｎの交点に、マトリクス状に複数の薄膜トランジスタＱ及び複数の画素電極Ｒ，Ｇ，Ｂが配置されている。
【００４０】
制御部１１は、ゲート駆動部１３及びソース駆動部１４を制御して、液晶表示パネル１２のマトリクス状に配置された画素電極に対して１フレームごとに、入力画像信号に対応する電圧を１回印加する。つまり、制御部１１は、液晶表示パネル１２のマトリクス状に配置された画素電極の画素に対して１フレームごとに画像データを１回書き込む。制御部１１は、ゲート駆動部１３にゲート駆動信号を出力する。ゲート駆動部１３は、ゲート駆動信号に基づき走査電圧を印加して、ゲート信号線Ｇ１，Ｇ２，・・・，Ｇｎを上から下に向かって順番に選択して、対応するゲート信号線Ｇ１，Ｇ２，・・・，Ｇｎの薄膜トランジスタＱをオンにする。
【００４１】
制御部１１は、ソース駆動部１４に画像制御信号を出力して、ソース駆動部１４を制御する。ソース駆動部１４は、ゲート駆動部１３により選択されている（つまり薄膜トランジスタＱがオンにされている）ゲート信号線Ｇ１，Ｇ２，・・・，Ｇｎに対応する画素電極Ｒ，Ｇ，Ｂに、ソース信号線Ｓ１，Ｓ２，・・・，Ｓｍを介して画像データに対応する電圧を印加する。これによって、画素電極Ｒ，Ｇ，Ｂの液晶層に画像データに対応する電圧が印加されて、画素電極Ｒ，Ｇ，Ｂの液晶層の透過率が制御される。
【００４２】
ゲート駆動部１３によるゲート信号線Ｇ１，Ｇ２，・・・，Ｇｎの選択が上から下まで完了することによって、入力画像信号に基づき画像データが１回全画素に対して書き込まれる。全画素に対する画像データの書込みによって、１フレームの画像が生成される。液晶表示パネル１２は、その書き込まれた画像データを次の画像データの書込みまで１フレーム期間、保持するホールド型の表示部である。
【００４３】
制御部１１により、１フレームの画像生成が所定のフレーム周波数で繰り返されることによって、液晶表示パネル１２に表示される画像が視聴者によって視認される。なお、液晶表示パネル１２としては、ＩＰＳ（Ｉｎ  Ｐｌａｎｅ  Ｓｗｉｔｃｈｉｎｇ）方式、ＶＡ（Ｖｅｒｔｉｃａｌ  Ａｌｉｇｎｍｅｎｔ）方式、その他のいずれの方式を適用してもよい。
【００４４】
図３乃至図６は、液晶表示パネル１２において、あるフレームにおける各画素電極の印加電圧の極性を示す図である。図３はカラム反転駆動モードを示す。図４はドット反転駆動モードを示す。図５、図６は、中間反転駆動モードを示す。なお、以下では、説明の簡単化のために、図３乃至図６に示されるように、ソース信号線の本数をｍ＝８とし、ゲート信号線の本数をｎ＝８としている。
【００４５】
一般に、液晶表示パネルにおいて、液晶を駆動するために直流の駆動電圧を画素電極に印加すると、液晶が劣化して寿命が短くなり、その結果、表示品位が低下することが知られている。そこで、本実施形態の液晶表示パネル１２では、画素電極に印加する電圧の極性をフレームごとに反転させる交流電圧駆動が行われている。さらに、本実施形態の液晶表示パネル１２では、画素電極に対する電圧印加の駆動モードとして、カラム反転駆動モードと、ドット反転駆動モードと、中間反転駆動モードとが用いられる。
【００４６】
カラム反転駆動モードは、図３に示されるように、各フレームにおいて同一のソース信号線に接続された画素電極に同一極性の電圧を印加し、互いに隣接するソース信号線に接続された画素電極に印加する電圧の極性を反転し、かつ、フレームごとに各画素電極に印加する電圧の極性を反転する駆動モードである。すなわち、カラム反転駆動モードでは、図３に示される極性状態と、図３の各極性を反転した極性状態とが、フレームごとに交互に繰り返される。
【００４７】
ドット反転駆動モードは、図４に示されるように、各フレームにおいて互いに隣接する画素電極に逆極性の電圧を印加し、かつ、フレームごとに各画素電極に印加する電圧の極性を反転する駆動モードである。すなわち、ドット反転駆動モードでは、図４に示される極性状態と、図４の各極性を反転した極性状態とが、フレームごとに交互に繰り返される。なお、以下では、例えば図３において、「ソース信号線Ｓ１に接続された画素電極への印加電圧の極性」を簡略化して「ソース信号線Ｓ１への印加電圧の極性」とも言う。
【００４８】
カラム反転駆動モードでは、あるフレームにおいて、例えば図３に示されるように、ソース信号線Ｓ１への印加電圧の極性が「＋」にされている場合には、ソース信号線Ｓ２への印加電圧の極性は「−」にされ、ソース信号線Ｓ３への印加電圧の極性は「＋」にされる。また、図３に示されるフレームの次のフレームでは、ソース信号線Ｓ１への印加電圧の極性が「−」にされ、ソース信号線Ｓ２への印加電圧の極性は「＋」にされ、ソース信号線Ｓ３への印加電圧の極性は「−」にされる。
【００４９】
また、例えば図３に示されるフレームにおいて、ソース信号線Ｓ１への印加電圧は同一の「＋」極性にされる。したがって、液晶表示パネル１２の全面に白画像が表示される場合には、選択されるゲート信号線Ｇ１，Ｇ２，・・・が変化しても、同一極性で同一レベルの電圧が印加されることになる。このため、ソース信号線において充放電が起こらないことから、ソース駆動部１４からソース信号線への電流供給が抑制される。その結果、ソース駆動部１４における電力消費量が低減される。一方、ドット反転駆動モードでは、あるフレームにおいて、例えば図４に示されるように、ゲート信号線に沿った方向及びソース信号線に沿った方向の両方向において、互いに隣接する画素電極への印加電圧の極性が反転されている。
【００５０】
したがって、カラム反転駆動モードでは、ドット反転駆動モードに比べて印加電圧に対する応答性が良好になるため、短い時間で画素に画像データを書き込むことができる。一方、ドット反転駆動モードでは、カラム反転駆動モードに比べてクロストークやフリッカの性能で優れている。
【００５１】
制御部１１は、入力画像信号の信号レベルに基づき、各画素電極に印加する電圧レベルを決定する。制御部１１は、決定した電圧レベルに基づき、画像制御信号を生成し、生成した画像制御信号をソース駆動部１４に出力する。制御部１１は、入力画像信号の特徴量として、液晶表示パネル１２に画像を表示する際のフレームレートを検出する。制御部１１は、検出したフレームレートに基づき、駆動モードを切り替える。
【００５２】
具体的には、制御部１１は、フレームレートが基準値（本実施形態では例えば６０Ｈｚ）以上の場合には、駆動モードをカラム反転駆動モードに切り替える。また、制御部１１は、フレームレートが基準値未満の場合には、駆動モードをドット反転駆動モードに切り替える。
【００５３】
すなわち、制御部１１は、入力画像信号のフレームレートが例えば６０Ｈｚから３０Ｈｚに切り替えられると、駆動モードをカラム反転駆動モードからドット反転駆動モードに切り替える。また、制御部１１は、入力画像信号のフレームレートが例えば３０Ｈｚから６０Ｈｚに切り替えられると、駆動モードをドット反転駆動モードからカラム反転駆動モードに切り替える。
【００５４】
なお、制御部１１は、入力画像信号の特徴量として、フレームレートに代えて、またはフレームレートに加えて、液晶表示パネル１２に表示される画像内のオブジェクトの動き量を検出するようにしてもよい。そして、制御部１１は、検出した動き量が閾値（本実施形態では例えば時間的に隣接するフレーム間で１０画素）以上の場合には、駆動モードをカラム反転駆動モードに切り替えるようにしてもよい。また、制御部１１は、検出した動き量が閾値未満の場合には、駆動モードをドット反転駆動モードに切り替えるようにしてもよい。
【００５５】
制御部１１は、画素電極に対する電圧印加の駆動モードを、カラム反転駆動モードとドット反転駆動モードとの間で切り替える際に、中間反転駆動モードを経て切り替えるように、ゲート駆動部１３及びソース駆動部１４を制御する。すなわち、制御部１１は、カラム反転駆動モードからドット反転駆動モードに直接切り替えたり、ドット反転駆動モードからカラム反転駆動モードに直接切り替えたりはしない。
【００５６】
中間反転駆動モードは、図５、図６に示されるように、一のソース信号線に接続された画素電極に印加する電圧の極性を複数のゲート信号線ごとに反転させ、互いに隣接するソース信号線に接続され同一のゲート信号線に接続された画素電極に印加する電圧の極性を反転させる駆動モードである。つまり、中間反転駆動モードでは、印加電圧の極性状態が、カラム反転駆動モードとドット反転駆動モードとの中間の極性状態になっている。
【００５７】
制御部１１は、駆動モードをカラム反転駆動モードからドット反転駆動モードに切り替える際に、中間反転駆動モードでは、図２に示されるようにｎ本のゲート信号線を有する場合に、まず、（ｎ／２）本のゲート信号線ごとに印加電圧の極性が反転する反転パターンを使用し、次に、（ｎ／２２）本のゲート信号線ごとに印加電圧の極性が反転する反転パターンを使用し、さらに次に（ｎ／２３）本のゲート信号線ごとに印加電圧の極性が反転する反転パターンを使用する。
【００５８】
このように、制御部１１は、本実施形態では、カラム反転駆動モードからドット反転駆動モードに切り替える際に、中間反転駆動モードにおいて、極性が反転するゲート信号線の本数を１／２ずつ減少させた反転パターンを順に使用する。そして、制御部１１は、中間反転駆動モードの最後に、２本のゲート信号線ごとに印加電圧の極性が反転する反転パターンを使用した後、駆動モードをドット反転駆動モードに切り替える。また、制御部１１は、中間反転駆動モードにおいて、同一の反転パターンを少なくとも２フレーム連続して使用する。なお、制御部１１は、ドット反転駆動モードからカラム反転駆動モードに切り替える際には、中間反転駆動モードにおいて、極性が反転するゲート信号線の本数を２倍ずつ増大させた反転パターンを順に使用する。
【００５９】
図５に示される中間反転駆動モードでは、一のソース信号線に接続された画素電極に印加する電圧の極性を、１回反転させている。言い換えると、図５に示される中間反転駆動モードでは、４本のゲート信号線ごとに印加電圧の極性が反転する反転パターンになっている。図６に示される中間反転駆動モードでは、一のソース信号線に接続された画素電極に印加する電圧の極性を、３回反転させている。言い換えると、図６に示される中間反転駆動モードでは、２本のゲート信号線ごとに印加電圧の極性が反転する反転パターンになっている。
【００６０】
制御部１１は、ゲート信号線の本数がｎ＝８の場合には、図３に示されるカラム反転駆動モードから図４に示されるドット反転駆動モードに切り替える際に、中間反転駆動モードでは、図５に示される反転パターンを少なくとも２フレーム連続して使用した後で、図６に示される反転パターンを少なくとも２フレーム連続して使用する。本実施形態において、カラム反転駆動モードは第１駆動モードの一例に相当し、ドット反転駆動モードは第２駆動モードの一例に相当し、図５に示される中間反転駆動モードの反転パターンは第１極性反転パターンの一例に相当し、図６に示される中間反転駆動モードの反転パターンは第２極性反転パターンの一例に相当する。
【００６１】
図７は、本実施形態において、図５に示される中間反転駆動モードにおける各部の信号を示すタイミングチャートである。図１、図５、図７を用いて、本実施形態における画素電極に対する電圧印加時間が説明される。
【００６２】
図７において、ゲート信号線Ｇ１のゲート信号は、ゲートスタート信号がハイレベルのとき、ゲートシフトクロック信号に同期して、次のゲートシフトクロック信号までの１水平期間Ｔ０の幅でハイレベルとなる。このゲート信号は、図７に示されるように、ゲート信号線Ｇ８に向けて、ゲートシフトクロック信号に同期してシフトする。以下では、１水平期間Ｔ０を基準時間Ｔ０とも言う。
【００６３】
ソース信号線の極性は、ゲート信号線Ｇ１及びソース信号線Ｓ１に接続される画素電極（画素電極Ｘとする）の印加電圧パルスＰ１は、フレームＦ１では正極性であり、続くフレームＦ２では負極性であり、交流駆動が行われている。また、画素電極Ｘの右側に隣接する、ゲート信号線Ｇ１及びソース信号線Ｓ２に接続される画素電極の印加電圧パルスＰ２は、フレームＦ１では負極性であり、続くフレームＦ２では正極性であり、画素電極Ｘと反対の極性で交流駆動が行われている。また、画素電極Ｘの下側に隣接する、ゲート信号線Ｇ２及びソース信号線Ｓ１に接続される画素電極の印加電圧パルスＰ３は、フレームＦ１では正極性であり、続くフレームＦ２では負極性であり、画素電極Ｘと同じ極性で交流駆動が行われている。このように、図７のフレームＦ１における画素電極への印加電圧の極性は、図５に示される極性状態になっている。
【００６４】
なお、図７の「ソース信号線の極性」では、極性の相違を示すために、印加電圧パルスＰ１に続いて印加電圧パルスＰ２が出力されるように図示されている。しかしながら、一般的には、１水平期間の間（例えばゲート信号線Ｇ１のゲート信号が出力されている間）、ソース駆動部１４は、ソース信号線Ｓ１〜Ｓ８に対して、電圧を同時に継続して出力している。すなわち、印加電圧パルスＰ１，Ｐ２は、ゲート信号線Ｇ１のゲート信号が出力されている間、同時に継続して出力されている。この点は、後述の図８〜図１０でも同じである。
【００６５】
図５において、例えばソース信号線Ｓ１に接続された各画素電極に対し、ゲート信号線Ｇ１〜Ｇ８の順に、電圧が印加される。そして、図５に示される中間反転駆動モードでは、ゲート信号線Ｇ１からゲート信号線Ｇ４までは、ソース信号線Ｓ１〜Ｓ８に対し、それぞれ同じ極性（正）の電圧が印加される。すなわち、ゲート信号線Ｇ２からゲート信号線Ｇ４までは、直前に印加された電圧と同じ極性の電圧が印加される。これに対して、図５に示されるように、ゲート信号線Ｇ５では、ソース信号線Ｓ１〜Ｓ８に対する印加電圧の極性（負）は、直前の極性（正）から反転している。図７において、ゲート信号線Ｇ５及びソース信号線Ｓ１に接続される画素電極の印加電圧パルスＰ４は、フレームＦ１では負極性になる。そして、ゲート信号線Ｇ５からゲート信号線Ｇ８までは、図５に示されるように、ソース信号線Ｓ１に対し、それぞれ同じ極性（負）の電圧が印加される。
【００６６】
このように、ゲート信号線Ｇ２〜Ｇ４まで、ソース信号線Ｓ１〜Ｓ８に対して直前の印加電圧と同じ極性の電圧が印加されていたのに対して、ゲート信号線Ｇ５では、印加電圧の極性が直前（ゲート信号線Ｇ４）の極性から反転している。このため、ゲート信号線Ｇ５における画素電極に対する印加電圧の応答性は、ゲート信号線Ｇ２〜Ｇ４の応答性に比べて低下する。このため、応答性の低下に対して何らの対策も施さなければ、液晶表示パネル１２に表示される画像において、ゲート信号線Ｇ５に沿って横筋が発生し、画像の表示品位が低下する。
【００６７】
そこで、本実施形態では、低下した応答性を補うために、制御部１１は、ゲート駆動部１３を制御して、図７に示されるように、ゲートシフトクロック信号の出力を１回停止する。このため、次のゲート信号線Ｇ６に対する電圧の印加が１水平期間Ｔ０の分だけ遅延される。したがって、ゲート信号線Ｇ５のゲート信号のハイレベル期間（つまり電圧印加時間）Ｔ１は、Ｔ１＝２×Ｔ０になる。つまり、制御部１１は、ゲート信号線Ｇ５のゲート信号のハイレベル期間（つまり電圧印加時間）Ｔ１を、基準時間Ｔ０より長い時間に設定する。その結果、ゲート信号線Ｇ５に接続された画素電極に対する電圧印加時間として十分な時間を確保することができる。本実施形態において、ゲート信号線Ｇ５に接続された画素電極は反転電極の一例に相当し、ゲート信号線Ｇ２〜Ｇ４，Ｇ６〜Ｇ８に接続された画素電極は同一電極の一例に相当する。
【００６８】
以上説明されたように、本実施形態では、制御部１１は、画素電極に対する電圧印加の駆動モードを、カラム反転駆動モードとドット反転駆動モードとの間で、中間反転駆動モードを経て切り替える。中間反転駆動モードは、一のソース信号線に接続された画素電極に印加する電圧の極性を複数のゲート信号線ごとに反転させ、互いに隣接するソース信号線に接続され同一のゲート信号線に接続された画素電極に印加する電圧の極性を反転させ、かつ、フレームごとに各画素電極に印加する電圧の極性を反転する駆動モードである。つまり、中間反転駆動モードでは、印加電圧の極性状態が、カラム反転駆動モードとドット反転駆動モードとの中間の極性状態になっている。
【００６９】
したがって、カラム反転駆動モードから直接ドット反転駆動モードに、またはドット反転駆動モードから直接カラム反転駆動モードに、切り替わる場合に比べて、駆動モードを滑らかに切り替えることができる。このため、本実施形態によれば、駆動モードの切替え時に、液晶表示パネル１２に表示される画像が連続的にならずに境界が生じて、画像品位が低下するのを抑制することができる。
【００７０】
また、本実施形態では、中間反転駆動モードにおいて、例えばソース信号線Ｓ１に接続された画素電極に対してゲート信号線Ｇ１〜Ｇ８ごとに順番に電圧が印加される際に、制御部１１は、印加電圧の極性が直前の画素電極から反転する画素電極（例えば図５ではゲート信号線Ｇ５に接続された画素電極）に対する電圧印加時間Ｔ１を、印加電圧の極性が直前の画素電極と同じ画素電極（例えば図５ではゲート信号線Ｇ５以外のゲート信号線に接続された画素電極）に対する電圧印加時間Ｔ０に比べて長くしている。印加電圧の極性が直前の画素電極から反転する画素電極では、印加電圧の極性が直前の画素電極と同じ画素電極に比べて、印加電圧に対する応答性が低下する。このため、電圧印加時間を同じ値にしたのでは、ゲート信号線Ｇ５に沿って横筋が生じて画像の品位が低下する。これに対して、本実施形態では、電圧印加時間Ｔ１を、電圧印加時間Ｔ０に比べて長くしているため、印加電圧に対する応答性の低下を補うことができる。したがって、本実施形態では、ゲート信号線Ｇ５に沿って横筋が生じるのを抑制することができ、画像の品位が低下するのを防止することができる。
【００７１】
なお、上記実施形態では、図７に示されるように、ソース駆動部１４は、ゲート信号線Ｇ５に対するハイレベル期間（電圧印加時間）Ｔ１のうち、前半の期間Ａ１（＝Ｔ０）においてソース信号線Ｓ１〜Ｓ８に対して電圧を出力しており、期間Ａ２ではソース信号線Ｓ１〜Ｓ８に対して電圧を出力していない。しかし、この期間Ａ２でも、ゲート信号線Ｇ５に対してゲート信号は出力されているため、電圧印加に対する液晶の応答は継続している。その結果、応答性の低下が補われるようになっている。
【００７２】
これに対して、別の実施形態として、遅延により延長したゲート信号線Ｇ５のゲート信号のハイレベル期間（電圧印加時間）Ｔ１に、ソース信号線Ｓ１〜Ｓ８に対する電圧印加を継続するようにしてもよい。
【００７３】
図８は、別の実施形態において、図５に示される中間反転駆動モードにおける各部の信号を示すタイミングチャートである。図１、図５、図８を用いて、別の実施形態における画素電極に対する電圧印加時間が説明される。
【００７４】
図７に示される上記実施形態では、ゲート信号線Ｇ５のゲート信号のハイレベル期間（電圧印加時間）Ｔ１のうち前半の期間Ａ１の間、ソース駆動部１４からソース信号線Ｓ１〜Ｓ８に対して電圧が出力されていた。これに対して、図８に示される実施形態では、制御部１１は、ソース駆動部１４を制御して、ゲート信号線Ｇ５のゲート信号のハイレベル期間（電圧印加時間）Ｔ１の間、ソース信号線Ｓ１〜Ｓ８に対する電圧印加が継続されている。すなわち、ソース駆動部１４から、ゲート信号線Ｇ５に対するハイレベル期間（電圧印加時間）Ｔ１のうち期間Ａ１だけでなく、続く期間Ａ２の間も、ソース信号線Ｓ１〜Ｓ８に対して電圧が出力される。なお、図８は、期間Ａ２の間も電圧出力が継続されること以外は、図７と全く同様である。図８に示される実施形態において、ゲート信号線Ｇ５に接続された画素電極は反転電極の一例に相当し、ゲート信号線Ｇ２〜Ｇ４，Ｇ６〜Ｇ８に接続された画素電極は同一電極の一例に相当する。
【００７５】
その結果、図８に示される実施形態では、ゲート信号線Ｇ５に接続された画素電極に対する印加電圧の応答性の低下をさらに好適に補うことができる。このため、図８に示される実施形態でも、液晶表示パネル１２に表示される画像において、ゲート信号線Ｇ５に沿って横筋が発生するのを抑制することができ、画像の表示品位が過度に低下するのを抑制することができる。
【００７６】
上記実施形態及び図８に示される別の実施形態では、図５に示される中間反転駆動モードにおける画素電極に対する印加電圧の応答性の低下が説明された。しかし、図６に示される中間反転駆動モードでも、同様に、印加電圧の応答性の低下が生じる。すなわち、図６において、ゲート信号線Ｇ２，Ｇ４，Ｇ６，Ｇ８に接続された画素電極に対する印加電圧の極性は、それぞれ、直前のゲート信号線Ｇ１，Ｇ３，Ｇ５，Ｇ７に接続された画素電極に対する印加電圧の極性と同じである。これに対し、ゲート信号線Ｇ３，Ｇ５，Ｇ７に接続された画素電極に対する印加電圧の極性は、それぞれ、直前のゲート信号線Ｇ２，Ｇ４，Ｇ６に接続された画素電極に対する印加電圧の極性から反転している。したがって、ゲート信号線Ｇ３，Ｇ５，Ｇ７のゲート信号のハイレベル期間（電圧印加時間）を上記実施形態と同様に長くすればよい。
【００７７】
なお、図６におけるゲート信号線Ｇ１に接続された画素電極への印加電圧の極性は、直前のフレームの極性状態が図６を反転させた極性状態である場合には、直前のフレームの最後の印加電圧（ゲート信号線Ｇ８）の極性と同じになる。例えばソース信号線Ｓ１であれば、正極性になる。したがって、この場合には、ゲート信号線Ｇ１のゲート信号のハイレベル期間を長くしなくてもよい。
【００７８】
また、図６におけるゲート信号線Ｇ１に接続された画素電極への印加電圧の極性は、直前のフレームの極性状態が図５の極性状態である場合には、直前のフレームの最後の印加電圧（ゲート信号線Ｇ８）の極性から反転する。例えばソース信号線Ｓ１であれば、負極性から正極性に反転する。したがって、この場合には、ゲート信号線Ｇ１のゲート信号のハイレベル期間（電圧印加時間）を長くするようにしてもよい。
【００７９】
また、図６におけるゲート信号線Ｇ１に接続された画素電極への印加電圧の極性は、直前のフレームの極性状態が図５を反転させた極性状態である場合には、直前のフレームの最後の印加電圧（ゲート信号線Ｇ８）の極性と同じになる。例えばソース信号線Ｓ１であれば、正極性になる。したがって、この場合には、ゲート信号線Ｇ１のゲート信号のハイレベル期間（電圧印加時間）を長くしなくてもよい。
【００８０】
また、中間反転駆動モードにおいて、連続する２フレームで反転パターンが切り替えられたときに、切り替え直後のフレームにおいて、印加電圧の応答性の低下度合が画素電極によって異なる。以下、さらに別の実施形態が説明される。
【００８１】
図９は、さらに別の実施形態において、中間反転駆動モードの異なる反転パターンが使用された場合の各部の信号を示すタイミングチャートである。図５、図６、図９を用いて、中間反転駆動モードにおいて、図５に示される反転パターンが使用されたフレーム（以下、図５、図６、図９を用いた説明において「第１フレーム」と言う）の次のフレーム（以下、図５、図６、図９を用いた説明において「第２フレーム」と言う）において、図６に示される反転パターンが使用される場合に、制御部１１により制御される電圧印加時間が説明される。
【００８２】
図５、図６において、ソース信号線Ｓ１に接続された画素電極に対し、ゲート信号線Ｇ１〜Ｇ８の順で、電圧が印加される。このとき、第２フレームでは、図６に示されるように、ゲート信号線Ｇ２，Ｇ４，Ｇ６，Ｇ８に接続された画素電極への印加電圧の極性は、それぞれ、直前に電圧が印加されるゲート信号線Ｇ１，Ｇ３，Ｇ５，Ｇ７に接続された画素電極への印加電圧の極性と同じである。
【００８３】
これに対して、ゲート信号線Ｇ３，Ｇ５，Ｇ７に接続された画素電極への印加電圧の極性は、それぞれ、直前に電圧が印加されるゲート信号線Ｇ２，Ｇ４，Ｇ６に接続された画素電極への印加電圧の極性から反転している。また、第２フレーム（図６）でゲート信号線Ｇ１に接続された画素電極への印加電圧の極性（正）は、直前の第１フレーム（図５）で最後に電圧が印加されたゲート信号線Ｇ８に接続された画素電極への印加電圧の極性（負）から反転している。
【００８４】
したがって、直前と同じ極性の電圧が印加されるゲート信号線Ｇ２，Ｇ４，Ｇ６，Ｇ８に接続された画素電極の場合に比べて、ゲート信号線Ｇ１，Ｇ３，Ｇ５，Ｇ７に接続された画素電極では、印加電圧に対する応答性が低下する。
【００８５】
ここで、ゲート信号線Ｇ１，Ｇ３，Ｇ５，Ｇ７に接続された画素電極は、さらに、印加電圧に対する応答性の低下度合が異なる画素電極を含む。すなわち、第２フレーム（図６）におけるゲート信号線Ｇ３，Ｇ５に接続された画素電極への印加電圧の極性は、直前の第１フレーム（図５）における極性から反転する。一方、第２フレーム（図６）におけるゲート信号線Ｇ１，Ｇ７に接続された画素電極への印加電圧の極性は、直前の第１フレーム（図５）における極性と同じである。したがって、ゲート信号線Ｇ３，Ｇ５に接続された画素電極への印加電圧に対する応答性は、ゲート信号線Ｇ１，Ｇ７に接続された画素電極への印加電圧に対する応答性に比べて、低下する。
【００８６】
このため、第２フレームにおいて、全ての画素電極に対する電圧印加時間を基準時間Ｔ０とすると、上述のように、ゲート信号線Ｇ１，Ｇ３，Ｇ５，Ｇ７において、横筋が発生する。これに対して、ゲート信号線Ｇ１，Ｇ３，Ｇ５，Ｇ７に接続された画素電極に対する電圧印加時間を基準時間Ｔ０より同じ時間だけ長くすると、ゲート信号線Ｇ１，Ｇ７とゲート信号線Ｇ３，Ｇ５との間における差異により横筋が発生する。
【００８７】
そこで、制御部１１は、第２フレーム（図９のフレームＦ１）において、図９に示されるように、ゲート信号線Ｇ２，Ｇ４，Ｇ６，Ｇ８に接続された画素電極に対する電圧印加時間Ｔ０に比べて、ゲート信号線Ｇ１，Ｇ７に接続された画素電極に対する電圧印加時間Ｔ１２を長くし、さらに、ゲート信号線Ｇ３，Ｇ５に接続された画素電極に対する電圧印加時間Ｔ１１を電圧印加時間Ｔ１２より長くする。すなわち、制御部１１は、電圧印加時間を制御して、Ｔ０＜Ｔ１２＜Ｔ１１とする。図９に示される実施形態において、ゲート信号線Ｇ２，Ｇ４，Ｇ６，Ｇ８に接続された画素電極は、同一電極の一例に相当し、ゲート信号線Ｇ１，Ｇ３，Ｇ５，Ｇ７に接続された画素電極は、反転電極の一例に相当し、ゲート信号線Ｇ３，Ｇ５に接続された画素電極は、第１画素電極の一例に相当し、ゲート信号線Ｇ１，Ｇ７に接続された画素電極は、第２画素電極の一例に相当する。
【００８８】
このように、図９に示される実施形態では、電圧印加時間をＴ０＜Ｔ１２＜Ｔ１１とすることによって、ゲート信号線Ｇ１，Ｇ３，Ｇ５，Ｇ７に接続された画素電極への印加電圧の応答性の低下を補うことができる。したがって、本実施形態では、液晶表示パネル１２に表示される画像において、ゲート信号線Ｇ１，Ｇ３，Ｇ５，Ｇ７に沿って横筋が発生するのを抑制することができる。その結果、画像の表示品位が過度に低下するのを抑制することができる。
【００８９】
なお、図９に示される実施形態では、ゲート信号線Ｇ３に対するハイレベル期間（電圧印加時間）Ｔ１１のうち、期間Ａ３においてソース信号線Ｓ１〜Ｓ８に対する電圧印加を行い、期間Ａ４ではソース信号線Ｓ１〜Ｓ８に対してソース駆動部１４から電圧が出力されていない。また、ゲート信号線Ｇ５に対するハイレベル期間（電圧印加時間）Ｔ１１のうち、期間Ａ５においてソース信号線Ｓ１〜Ｓ８に対する電圧印加を行い、期間Ａ６ではソース信号線Ｓ１〜Ｓ８に対してソース駆動部１４から電圧が出力されていない。しかし、これらの期間Ａ４，Ａ６でも、ゲート信号線Ｇ３，Ｇ５に対してゲート信号は出力されているため、電圧印加に対する液晶の応答は継続している。その結果、応答性の低下が補われるようになっている。
【００９０】
図１０は、図９を変形した実施形態において、中間反転駆動モードの異なる反転パターンが使用された場合の各部の信号を示すタイミングチャートである。図５、図６、図１０を用いて、中間反転駆動モードにおいて、図５に示される反転パターンが使用されたフレーム（以下、図５、図６、図１０を用いた説明において「第１フレーム」と言う）の次のフレーム（以下、図５、図６、図１０を用いた説明において「第２フレーム」と言う）において、図６に示される反転パターンが使用される場合に、制御部１１により制御される電圧印加時間が説明される。
【００９１】
図１０の実施形態では、図９の実施形態と同様に、制御部１１は、第２フレーム（図１０のフレームＦ１）において、ゲート信号線Ｇ２，Ｇ４，Ｇ６，Ｇ８に接続された画素電極に対する電圧印加時間Ｔ０に比べて、ゲート信号線Ｇ１，Ｇ７に接続された画素電極に対する電圧印加時間Ｔ２２を長くし、さらに、ゲート信号線Ｇ３，Ｇ５に接続された画素電極に対する電圧印加時間Ｔ２１を電圧印加時間Ｔ２２より長くする。すなわち、制御部１１は、ゲート駆動部１３を制御して、電圧印加時間をＴ０＜Ｔ２２＜Ｔ２１とする。図１０では、制御部１１は、さらに、Ｔ２１＝Ｔ０×２に制御し、かつ、ゲート信号線Ｇ３，Ｇ５に接続された画素電極に対して、ソース信号線Ｓ１〜Ｓ８に電圧を２回印加する。
【００９２】
すなわち、図１０に示される実施形態では、ソース駆動部１４は、ゲート信号線Ｇ３に対するハイレベル期間（電圧印加時間）Ｔ２１のうち、期間Ａ７だけでなく、続く期間Ａ８においても、ソース信号線Ｓ１〜Ｓ８に対して電圧出力を継続する。また、ソース駆動部１４は、ゲート信号線Ｇ５に対するハイレベル期間（電圧印加時間）Ｔ２１のうち、期間Ａ９だけでなく、続く期間Ａ１０においても、ソース信号線Ｓ１〜Ｓ８に対して電圧出力を継続する。図１０に示される実施形態において、ゲート信号線Ｇ２，Ｇ４，Ｇ６，Ｇ８に接続された画素電極は、同一電極の一例に相当し、ゲート信号線Ｇ１，Ｇ３，Ｇ５，Ｇ７に接続された画素電極は、反転電極の一例に相当し、ゲート信号線Ｇ３，Ｇ５に接続された画素電極は、第１画素電極の一例に相当し、ゲート信号線Ｇ１，Ｇ７に接続された画素電極は、第２画素電極の一例に相当する。
【００９３】
その結果、図１０に示される実施形態では、図９に示される実施形態に比べて、ゲート信号線Ｇ３，Ｇ５に接続された画素電極に対する印加電圧の応答性の低下をさらに好適に補うことができる。このため、図１０に示される実施形態でも、液晶表示パネル１２に表示される画像において、ゲート信号線Ｇ３，Ｇ５に沿って横筋が発生するのを抑制することができ、画像の表示品位が過度に低下するのを抑制することができる。
【００９４】
図１１は、上記各実施形態における駆動モードの移行過程を模式的に示すタイミングチャートである。図１２（ａ）（ｂ）は、カラム反転駆動モードにおける各画素電極の印加電圧の極性を模式的に示す図である。図１３（ａ）（ｂ）は、中間反転駆動モードにおける各画素電極の印加電圧の極性を模式的に示す図である。図１３（ａ）（ｂ）の中間反転駆動モードでは、４本のゲート信号線ごとに印加電圧の極性が反転する反転パターンになっている。図１４（ａ）（ｂ）は、中間反転駆動モードにおける各画素電極の印加電圧の極性を模式的に示す図である。図１４（ａ）（ｂ）の中間反転駆動モードでは、２本のゲート信号線ごとに印加電圧の極性が反転する反転パターンになっている。図１５（ａ）（ｂ）は、ドット反転駆動モードにおける各画素電極の印加電圧の極性を模式的に示す図である。図１２（ｂ）〜図１５（ｂ）の極性は、それぞれ、図１２（ａ）〜図１５（ａ）の極性に対して反転された状態を示している。図１、図１１乃至図１５を用いて、上記各実施形態における駆動モードの具体的な切替え動作が説明される。
【００９５】
図１１において、フレームＦ１〜Ｆ６では、フレームレートが６０Ｈｚになっている。このため、制御部１１は、駆動モードを図１２（ａ）（ｂ）に示されるカラム反転駆動モードとする。すなわち、制御部１１は、図１２（ａ）に示される極性状態と図１２（ｂ）に示される極性状態とを交互に使用する。例えばフレームＦ１，Ｆ３，Ｆ５では、図１２（ａ）に示される極性状態になり、フレームＦ２，Ｆ４，Ｆ６では、図１２（ｂ）に示される極性状態になる。
【００９６】
フレームＦ７では、フレームレートが３０Ｈｚに切り替えられる。このため、制御部１１は、駆動モードを中間反転駆動モードに切り替える。ここでは、ゲート信号線の本数ｎ＝８としている。よって、（ｎ／２）＝４となる。そこで、制御部１１は、中間反転駆動モードとして、まず、４本のゲート信号線ごとに印加電圧の極性が反転する図１３（ａ）（ｂ）に示される反転パターンを使用する。つまり、図１１において、反転ライン数が８（カラム反転）から４に減少する。また、制御部１１は、２フレーム連続して同じ反転パターンを使用する。そこで、例えばフレームＦ７では、図１３（ａ）に示される極性状態になり、フレームＦ８では、図１３（ｂ）に示される極性状態になる。
【００９７】
次に、フレームＦ９では、制御部１１は、中間反転駆動モードの反転パターンを切り替える。ここで、ｎ＝８であるため、（ｎ／２２）＝２となる。そこで、制御部１１は、中間反転駆動モードとして、次に、２本のゲート信号線ごとに印加電圧の極性が反転する図１４（ａ）（ｂ）に示される反転パターンを使用する。つまり、図１１において、反転ライン数が４から２に減少する。また、制御部１１は、同様に、２フレーム連続して同じ反転パターンを使用する。そこで、例えばフレームＦ９では、図１４（ａ）に示される極性状態になり、フレームＦ１０では、図１４（ｂ）に示される極性状態になる。なお、図１１に示されるように、カラム反転駆動モード時のフレーム期間（つまりフレームＦ１〜Ｆ６のフレーム期間）は、中間反転駆動モード時のフレーム期間（つまりフレームＦ７〜Ｆ１０のフレーム期間）に比べて短くなっている。
【００９８】
次に、フレームＦ１１では、制御部１１は、中間反転駆動モードの反転パターンを切り替える。ここで、ｎ＝８であるため、（ｎ／２３）＝１となる。そこで、制御部１１は、中間反転駆動モードから図１５（ａ）（ｂ）に示されるドット反転駆動モードに切り替える。つまり、図１１において、反転ライン数が２から１（ドット反転）に減少する。そこで、例えばフレームＦ１１では、図１５（ａ）に示される極性状態になり、フレームＦ１２では、図１５（ｂ）に示される極性状態になる。
【００９９】
なお、図１１では、制御部１１は、中間反転駆動モードにおいて、同じ反転パターンを２フレーム連続して使用しているが、３フレーム以上連続して使用してもよい。すなわち、制御部１１は、中間反転駆動モードにおいて、同じ反転パターンを少なくとも２フレーム連続して使用してもよい。なお、別の実施形態として、次に説明されるように、制御部１１は、中間反転駆動モードにおいて、１フレームごとに反転パターンを切り替えるようにしてもよい。
【０１００】
図１６は、駆動モードの移行過程の別の実施形態を模式的に示すタイミングチャートである。図１７は、カラム反転駆動モードにおける各画素電極の印加電圧の極性を模式的に示す図である。図１８、図１９は、中間反転駆動モードにおける各画素電極の印加電圧の極性を模式的に示す図である。図１８の中間反転駆動モードでは、４本のゲート信号線ごとに印加電圧の極性が反転する反転パターンになっている。図１９の中間反転駆動モードでは、２本のゲート信号線ごとに印加電圧の極性が反転する反転パターンになっている。図２０は、ドット反転駆動モードにおける各画素電極の印加電圧の極性を模式的に示す図である。図１、図１６乃至図２０を用いて、別の実施形態における駆動モードの切替え動作が説明される。
【０１０１】
図１６において、フレームＦ１〜Ｆ６では、フレームレートが６０Ｈｚになっている。このため、制御部１１は、上記実施形態と同様に、駆動モードを図１７に示されるカラム反転駆動モードとする。そして、例えばフレームＦ１，Ｆ３，Ｆ５では、図１２（ｂ）に示される極性状態になり、フレームＦ２，Ｆ４，Ｆ６では、図１７に示される極性状態になる。
【０１０２】
フレームＦ７では、フレームレートが３０Ｈｚに切り替えられる。このため、制御部１１は、駆動モードを中間反転駆動モードに切り替える。ここでは、ゲート信号線の本数ｎ＝８としている。よって、（ｎ／２）＝４となる。そこで、制御部１１は、中間反転駆動モードとして、まず、４本のゲート信号線ごとに印加電圧の極性が反転する図１８に示される反転パターンを使用する。つまり、図１６において、反転ライン数が８（カラム反転）から４に減少する。そして、フレームＦ７では、図１８に示される極性状態になる。
【０１０３】
次に、フレームＦ８では、制御部１１は、中間反転駆動モードの反転パターンを切り替える。ここで、ｎ＝８であるため、（ｎ／２２）＝２となる。そこで、制御部１１は、中間反転駆動モードとして、次に、２本のゲート信号線ごとに印加電圧の極性が反転する図１８に示される反転パターンを使用する。つまり、図１６において、反転ライン数が４から２に減少する。そして、フレームＦ８では、図１９に示される極性状態になる。
【０１０４】
次に、フレームＦ９では、制御部１１は、中間反転駆動モードの反転パターンを切り替える。ここで、ｎ＝８であるため、（ｎ／２３）＝１となる。そこで、制御部１１は、中間反転駆動モードから図２０に示されるドット反転駆動モードに切り替える。つまり、図１６において、反転ライン数が２から１（ドット反転）に減少する。そして、例えばフレームＦ９，Ｆ１１では、図２０に示される極性状態になり、フレームＦ１０，Ｆ１２では、図１５（ａ）に示される極性状態になる。
【０１０５】
図１６に示される移行過程でも、上記図１１に示される移行過程と同様に、カラム反転駆動モードから直接ドット反転駆動モードに、またはドット反転駆動モードから直接カラム反転駆動モードに、切り替わる場合に比べて、駆動モードを滑らかに切り替えることができ、画像の表示品位の低下を防止することができる。
【０１０６】
ここで、図１６に示されるように１フレームごとに反転パターンを切り替える移行過程に比べて、上記図１１に示されるように、同じ反転パターンを少なくとも２フレーム連続して使用する移行過程の方が好ましい。この理由が説明される。
【０１０７】
図１６乃至図２０に示される移行過程において、図１７に示される極性状態のフレームＦ６から図２０に示される極性状態のフレームＦ９まで連続する４フレームにおいて、例えばソース信号線Ｓ１に接続された画素電極に対する印加電圧の極性の推移は、以下のようになっている。
【０１０８】
例えばゲート信号線Ｇ１に接続された画素電極は、フレームＦ６〜Ｆ９の４フレームの間、フレームごとに極性が反転している。これに対して、例えばゲート信号線Ｇ２に接続された画素電極は、図２０に示されるフレームＦ９の時点において、フレームＦ８〜Ｆ９の２フレーム連続して同じ極性になっている。また、例えばゲート信号線Ｇ３に接続された画素電極は、図２０に示されるフレームＦ９の時点において、フレームＦ７〜Ｆ９の３フレーム連続して同じ極性になっている。また、例えばゲート信号線Ｇ６に接続された画素電極は、図２０に示されるフレームＦ９の時点において、フレームＦ６〜Ｆ９の４フレーム連続して同じ極性になっている。
【０１０９】
このように、図１６乃至図２０に示される移行過程では、図２０に示されるフレームＦ９の時点において、極性がフレームごとに反転するゲート信号線Ｇ１に接続された画素電極と、極性が４フレーム連続して同じであるゲート信号線Ｇ６に接続された画素電極との間において、印加電圧に対する応答性の差が最も大きくなる。
【０１１０】
これに対して、同じ反転パターンを少なくとも２フレーム連続して使用する上記図１１に示される移行過程では、当該連続して使用するフレーム間で、全ての画素電極への印加電圧の極性が反転する。したがって、同じ極性が連続するフレーム数は、反転パターンが切り替えられる２フレームの間に限られる。例えば、ソース信号線Ｓ１に接続された画素電極のうち、図１３（ｂ）に示される反転パターンのフレームから図１４（ａ）に示される反転パターンのフレームに切り替えられる際は、ゲート信号線Ｇ３〜Ｇ６に接続された画素電極の極性が同じになる。しかし、次の図１４（ａ）に示される反転パターンのフレームから図１４（ｂ）に示される反転パターンのフレームに切り替えられる際は、反転パターンが同じであるため、全ての極性が反転している。
【０１１１】
したがって、上記図１１に示される移行過程では、図１６乃至図２０に示される移行過程に比べて、各画素電極の間における印加電圧に対する応答性の差異を抑制することができる。その結果、容易に、画素の輝度をほぼ同じレベルにすることができる。このため、図１６乃至図２０に示される移行過程より、上記図１１に示される移行過程の方が好ましい。
【０１１２】
上記実施形態では、例えば図１１に示されるように、フレームレートが６０ＨｚになっているフレームＦ６の次のフレームＦ７において、フレームレートが３０Ｈｚにされている。しかし、フレームレートが徐々に低下する実施形態でもよい。例えば、フレームＦ７において５０Ｈｚとし、フレームＦ８において４０Ｈｚとし、フレームＦ９において３０Ｈｚとして、段階的にフレームレートが低下する実施形態でもよい。このような実施形態においても、制御部１１は、フレームＦ７においてフレームレートが６０Ｈｚ未満であることを検出する。したがって、制御部１１は、駆動モードをカラム反転駆動モードから中間反転駆動モードに切り替える。その結果、上記実施形態と同様の動作が行われる。
【０１１３】
上記実施形態では、説明の簡単化のために、ゲート信号線の本数ｎ＝８の場合が説明されている。しかし、ｎ＝８は一例であって、例えばｎ＝１０２４など他の値でもよい。
【０１１４】
上記実施形態の図５の中間反転駆動モードでは、一のソース信号線に接続された画素電極への印加電圧の極性は１回反転する反転パターンになっている。また、上記実施形態の図６の中間反転駆動モードでは、一のソース信号線に接続された画素電極への印加電圧の極性は２回反転する反転パターンになっている。しかし、極性の反転パターンは、図５及び図６と異なる反転パターンでもよい。
【０１１５】
図５の反転パターンに代えて、一のソース信号線に接続された画素電極への印加電圧の極性をＬ（Ｌは２より大きい整数）本のゲート信号線ごとに反転させた反転パターン（第１極性反転パターン）でもよい。また、図６の反転パターンに代えて、一のソース信号線に接続された画素電極への印加電圧の極性をＫ（Ｋは２以上かつＬ未満の整数）本のゲート信号線ごとに反転させた反転パターン（第２極性反転パターン）でもよい。また、図５の反転パターンに代えて、一のソース信号線に接続された画素電極への印加電圧の極性が、Ｍ（Ｍは正の整数）回反転した反転パターン（第１極性反転パターン）でもよい。また、図６の反転パターンに代えて、一のソース信号線に接続された画素電極への印加電圧の極性が、Ｎ（ＮはＭより大きい整数）回反転した反転パターン（第２極性反転パターン）でもよい。また、Ｋ本またはＬ本の一定本数のゲート信号線ごとに極性が反転した反転パターンでなくて、異なる本数のゲート信号線ごとに極性が反転した反転パターンでもよい。
【０１１６】
上記実施形態では、制御部１１は、カラム反転駆動モードからドット反転駆動モードに切り替える際に、中間反転駆動モードにおいて、極性が反転するゲート信号線の本数を１／２ずつ減少させた反転パターンを順に使用している。すなわち、ゲート信号線の本数ｎが、例えばｎ＝１０２４の場合には、制御部１１は、中間反転駆動モードにおいて、順に、５１２本、２５６本、１２８本、６４本、３２本、１６本、８本、４本、２本のゲート信号線ごとに反転させた反転パターンを使用する。しかし、１／２ずつに限られず、制御部１１は、カラム反転駆動モードからドット反転駆動モードに切り替える際に、中間反転駆動モードにおいて、極性が反転するゲート信号線の本数を段階的に徐々に減少させた反転パターンを順に使用すればよい。ドット反転駆動モードからカラム反転駆動モードに切り替える際には、同様に、中間反転駆動モードにおいて、極性が反転するゲート信号線の本数を段階的に徐々に増加させた反転パターンを順に使用すればよい。
【０１１７】
上記実施形態では、カラム反転駆動モードとドット反転駆動モードとの間で駆動モードを切り替える際に、中間反転駆動モードを経て切り替えている。しかし、駆動モードの切替えは、カラム反転駆動モードとドット反転駆動モードとの間に限られない。
【０１１８】
上記実施形態の変形形態として、例えば、カラム反転駆動モード（図１２）と、２ライン反転駆動モード（図１４）との間で、駆動モードを切り替える形態でもよい。この場合には、例えば図１３に示される中間反転駆動モードを経て切り替えればよい。これによって、図１２に示される駆動モードと図１４に示される駆動モードとの間で直接切り替える場合に比べて、駆動モードを滑らかに切り替えることができる。この変形形態において、カラム反転駆動モード（図１２）が第１駆動モードの一例に相当し、２ライン反転駆動モード（図１４）が第２駆動モードの一例に相当する。
【０１１９】
なお、この変形形態において、第１駆動モードは、カラム反転駆動モード（図１２）に限られない。第１駆動モードは、例えば、一のソース信号線に接続された画素電極への印加電圧の極性をＸ（ＸはＬより大きい整数）本のゲート信号線ごとに反転させた駆動モードでもよい。また、この変形形態において、第２駆動モードは、２ライン反転駆動モード（図１４）に限られない。第２駆動モードは、例えば、一のソース信号線に接続された画素電極への印加電圧の極性をＹ（Ｙは１以上かつＫ未満の整数）本のゲート信号線ごとに反転させた駆動モードでもよい。ここで、Ｌ，Ｋは上述の整数である。
【０１２０】
さらに、この変形形態において、第１駆動モードは、例えば一のソース信号線に接続された画素電極に印加する電圧の極性をＩ回（Ｉは０以上かつＭ未満の整数）反転させた駆動モードでもよく、第２駆動モードは、一のソース信号線に接続された画素電極に印加する電圧の極性をＪ回（ＪはＮより大きい整数）反転させた駆動モードでもよい。ここで、Ｍ，Ｎは上述の整数である。
【０１２１】
上記実施形態の別の変形形態として、例えば、４ライン反転駆動モード（図１３）と、ドット反転駆動モード（図１５）との間で、駆動モードを切り替える形態でもよい。この場合には、例えば図１４に示される中間反転駆動モードを経て切り替えればよい。これによって、図１３に示される駆動モードと図１５に示される駆動モードとの間で直接切り替える場合に比べて、駆動モードを滑らかに切り替えることができる。この別の変形形態において、図１３に示される４ライン反転駆動モードが第１駆動モードの一例に相当し、図１５に示されるドット反転駆動モードが第２駆動モードの一例に相当する。
【０１２２】
なお、この別の変形形態において、第１駆動モードは、４ライン反転駆動モード（図１３）に限られない。第１駆動モードは、例えば、一のソース信号線に接続された画素電極への印加電圧の極性をＸ（ＸはＬより大きい整数）本のゲート信号線ごとに反転させた駆動モードでもよい。また、この別の変形形態において、第２駆動モードは、ドット反転駆動モード（図１５）に限られない。第２駆動モードは、例えば、一のソース信号線に接続された画素電極への印加電圧の極性をＹ（Ｙは１以上かつＫ未満の整数）本のゲート信号線ごとに反転させた駆動モードでもよい。ここで、Ｌ，Ｋは上述の整数である。
【０１２３】
さらに、この別の変形形態において、第１駆動モードは、例えば一のソース信号線に接続された画素電極に印加する電圧の極性をＩ回（Ｉは０以上かつＭ未満の整数）反転させた駆動モードでもよく、第２駆動モードは、一のソース信号線に接続された画素電極に印加する電圧の極性をＪ回（ＪはＮより大きい整数）反転させた駆動モードでもよい。ここで、Ｍ，Ｎは上述の整数である。
【産業上の利用可能性】
【０１２４】
入力画像信号に基づく画像をフレームごとに液晶表示部に表示する液晶表示装置において、液晶表示部の駆動モードの切替え時に、画像の表示品位が過度に低下するのを抑制することができる液晶表示装置として有用である。
【符号の説明】
【０１２５】
１１  制御部
１２  液晶表示パネル
１３  ゲート駆動部
１４  ソース駆動部
Ｂ  青色の画素電極
Ｇ  緑色の画素電極
Ｇ１，Ｇ２，・・・，Ｇｎ  ゲート信号線
Ｒ  赤色の画素電極
Ｓ１，Ｓ２，・・・，Ｓｍ  ソース信号線
【図１】
2014056090.tif 000003
【図２】
2014056090.tif 000004
【図３】
2014056090.tif 000005
【図４】
2014056090.tif 000006
【図５】
2014056090.tif 000007
【図６】
2014056090.tif 000008
【図７】
2014056090.tif 000009
【図８】
2014056090.tif 000010
【図９】
2014056090.tif 000011
【図１０】
2014056090.tif 000012
【図１１】
2014056090.tif 000013
【図１２】
2014056090.tif 000014
【図１３】
2014056090.tif 000015
【図１４】
2014056090.tif 000016
【図１５】
2014056090.tif 000017
【図１６】
2014056090.tif 000018
【図１７】
2014056090.tif 000019
【図１８】
2014056090.tif 000020
【図１９】
2014056090.tif 000021
【図２０】
2014056090.tif 000022